(57)【要約】【課題】  噴霧ノズル周りの機械的構造の単純化，小型化及び低コスト化に寄与するとともに、耐久性及び信頼性の向上、更には、効果的なドリフト低減を図る。【解決手段】  薬液タンク２から複数の噴霧ノズル３ａ…に薬液Ｌを供給し、各噴霧ノズル３ａ…から薬液Ｌを噴霧するスピードスプレーヤＭの薬液噴霧装置１を構成するに際して、噴霧ノズル３ａ…，３ｂ…から薬液Ｌを噴霧する複数の噴霧系統４ａ，４ｂと、薬液タンク２から各噴霧系統４ａ，４ｂに対して異なる噴霧圧力Ｐａ，Ｐｂの薬液Ｌを供給する異圧薬液供給手段５と、各噴霧系統４ａ，４ｂに対する薬液Ｌの供給又は停止を切換える切換手段６とを備える。【選択図】  図１
2006205126.tif 000002
【特許請求の範囲】
【請求項１】
薬液タンクから複数の噴霧ノズルに薬液を供給し、各噴霧ノズルから薬液を噴霧するスピードスプレーヤの薬液噴霧装置において、前記噴霧ノズルから薬液を噴霧する複数の噴霧系統と、前記薬液タンクから各噴霧系統に対して異なる噴霧圧力の薬液を供給する異圧薬液供給手段と、各噴霧系統に対する薬液の供給又は停止を切換える切換手段（第一切換手段）とを備えてなることを特徴とするスピードスプレーヤの薬液噴霧装置。
【請求項２】
前記噴霧系統は、一又は二以上の噴霧ノズルを有する噴霧方向の異なる複数のノズルユニットと、各ノズルユニットに対する薬液の供給又は停止を切換える第二切換手段を備えることを特徴とする請求項１記載のスピードスプレーヤの薬液噴霧装置。
【請求項３】
前記第二切換手段は、運転席の操作により各ノズルユニットに対する薬液の供給又は停止を遠隔により切換える遠隔切換手段を用いることを特徴とする請求項２記載のスピードスプレーヤの薬液噴霧装置。
【請求項４】
前記異圧薬液供給手段は、噴霧ポンプから供給される薬液の圧力を変更して各噴霧系統に供給する調圧弁を備えることを特徴とする請求項１記載のスピードスプレーヤの薬液噴霧装置。
【請求項５】
前記異圧薬液供給手段は、薬液の圧力を変更して各噴霧系統に供給する複数の噴霧ポンプを備えることを特徴とする請求項１記載のスピードスプレーヤの薬液噴霧装置。
【請求項６】
前記第一切換手段は、運転席の操作により各噴霧系統に対する薬液の供給又は停止を遠隔により切換える遠隔切換手段を用いることを特徴とする請求項１記載のスピードスプレーヤの薬液噴霧装置。
【発明の詳細な説明】
【技術分野】
【０００１】
本発明は、薬液タンクから複数の噴霧ノズルに薬液を供給し、各噴霧ノズルから薬液を噴霧するスピードスプレーヤの薬液噴霧装置に関する。
【背景技術】
【０００２】
一般に、果樹園や農耕地等の圃場内を走行しながら薬液を散布するスピードスプレーヤは知られており、この種のスピードスプレーヤは、通常、薬液タンクから複数の噴霧ノズルに薬液を供給し、各噴霧ノズルから薬液を噴霧する薬液噴霧装置を備えている。ところで、スピードスプレーヤは、霧状の薬液を広範囲にかつ能率的に散布するため、本来、薬液の散布を回避したい場所にも散布されてしまういわゆるドリフトが発生する問題がある。したがって、ドリフトをできるだけ低減し、散布対象物に対して均一で無駄のない散布を効率的に行うとともに、非散布対象物（他の作物や河川等）への無用な散布を回避することが求められる。
【０００３】
従来、このような問題に対処したスピードスプレーヤも各種知られている。例えば、特開平８−２９４６５０号公報には、スピードスプレーヤの車両本体の後部からエアを吸入し、整流筒により車両本体の側方に向けてエアを噴出させるとともに、整流筒の開口部内に薬液を供給するノズルを設置して、エア流によりノズルから薬液を噴霧させるスピードスプレーヤであって、整流筒の開口縁に沿って周方向にノズルを移動可能又はノズルの向きを可変可能に支持し、これにより、スピードスプレーヤから側方へ薬液を散布する際の散布範囲を広く可変したり、薬液の噴霧方向を可変して、圃場等の条件に応じたより適切な薬液噴霧を行えるようにしたスピードスプレーヤの薬液噴霧装置が開示されている。
【０００４】
また、特開平１０−１７４９０６号公報には、薬液噴霧量の異なる複数のノズルユニットを備えたノズル本体と、該ノズル本体を回動可能に支持するノズル支持部とを備え、複数のノズルユニットの各々の薬液噴霧方向の中心線をノズル本体の回動軸心線方向と平行にし、ノズル支持部が突出筒端部を有する接続管を備えると共に、ノズル本体が筒状嵌合体を備え、接続管の突出筒端部に筒状嵌合体を外嵌せしめて回動位置調節可能に取付固定し、これにより、圃場の立地条件，樹形等、その薬液散布作業の目的に応じて薬液噴霧量を調節して使用できるようにしたスピードスプレーヤ用切換ノズルが開示されている。
【特許文献１】特開平８−２９４６５０号
【特許文献２】特開平１０−１７４９０６号
【発明の開示】
【発明が解決しようとする課題】
【０００５】
しかし、上述した従来の薬液噴霧装置等は、いずれも噴霧機構の機械的構造に着目したものであるため、次のような解決すべき課題が存在した。
【０００６】
第一に、ノズル位置の移動，ノズル向きの変更，ノズル自身の切換等のノズルに係わる機械的変更操作が必要になるため、手動及び自動のいずれの操作も大掛かりで大変になり、ノズル周りの機械的構造の複雑化，大型化及び高コスト化を招く。
【０００７】
第二に、外部に露出するノズル周りの機構が複雑化及び大型化するため、土埃の付着や錆の発生等による故障や劣化が生じ易くなり、耐久性及び信頼性を確保する面からも不利になる。
【０００８】
第三に、散布する薬液の噴霧量や噴霧方向を速やかに変更することができないため、ドリフトを効果的に低減するには限界がある。特に、スピードスプレーヤが走行中に方向転換したり散布対象物のすぐ近くに非散布対象物が存在する場合等では、ドリフトが発生しやすい。
【０００９】
本発明は、このような背景技術に存在する課題を解決したスピードスプレーヤの薬液噴霧装置の提供を目的とするものである。
【課題を解決するための手段】
【００１０】
本発明は、上述した課題を解決するため、薬液タンク２から複数の噴霧ノズル３ａ…に薬液Ｌを供給し、各噴霧ノズル３ａ…から薬液Ｌを噴霧するスピードスプレーヤＭの薬液噴霧装置１を構成するに際して、噴霧ノズル３ａ…，３ｂ…から薬液Ｌを噴霧する複数の噴霧系統４ａ，４ｂと、薬液タンク２から各噴霧系統４ａ，４ｂに対して異なる噴霧圧力Ｐａ，Ｐｂの薬液Ｌを供給する異圧薬液供給手段５と、各噴霧系統４ａ，４ｂに対する薬液Ｌの供給又は停止を切換える切換手段（第一切換手段）６とを備えてなることを特徴とする。
【００１１】
この場合、発明の好適な態様により、噴霧系統４ａ，４ｂには、一又は二以上の噴霧ノズル３ａ…，３ｂ…を有する噴霧方向の異なる複数のノズルユニット４ａｐ，４ａｍ，４ａｑ，４ｂｐ，４ｂｍ，４ｂｑと、各ノズルユニット４ａｐ，４ａｍ，４ａｑ，４ｂｐ，４ｂｍ，４ｂｑに対する薬液Ｌの供給又は停止を切換える第二切換手段１１を設けることができる。なお、第二切換手段１１には、運転席１２の操作により各ノズルユニット４ａｐ…，４ｂｐ…に対する薬液Ｌの供給又は停止を遠隔により切換える遠隔切換手段１１Ａを用いることができる。一方、異圧薬液供給手段５は、噴霧ポンプ１３から供給される薬液Ｌの圧力を変更して各噴霧系統４ａ，４ｂに供給する調圧弁１４ａ，１４ｂを用いて構成できるとともに、他の形態として、薬液Ｌの圧力を変更して各噴霧系統４ａ，４ｂに供給する複数の噴霧ポンプ１５ａ，１５ｂを用いて構成することもできる。また、第一切換手段６は、運転席１２の操作により各噴霧系統４ａ，４ｂに対する薬液Ｌの供給又は停止を遠隔により切換える遠隔切換手段６Ａを用いることができる。
【発明の効果】
【００１２】
このような構成を有する本発明に係るスピードスプレーヤＭの薬液噴霧装置１によれば、次のような顕著な効果を奏する。
【００１３】
（１）  薬液Ｌの噴霧圧力Ｐａ，Ｐｂ（噴霧量及び噴霧距離）を変更するに際し、特に、噴霧ノズル３ａ…周りをはじめ、薬液噴霧装置１全体における機械的変更操作が不要になるため、手動及び自動のいずれの操作も容易化することができるとともに、噴霧ノズル３ａ…周りの機械的構造の単純化，小型化及び低コスト化に寄与できる。
【００１４】
（２）  外部に露出する噴霧ノズル３ａ…周りにおける機構の単純化及び小型化により、土埃の付着や錆の発生等による故障や劣化が生じにくくなり、耐久性及び信頼性の向上に寄与できる。
【００１５】
（３）  散布する薬液Ｌの噴霧量及び噴霧距離を速やかに変更できるため、ドリフトを効果的に低減することができ、例えば、スピードスプレーヤＭが走行中に方向転換したり散布対象物のすぐ近くに非散布対象物が存在する場合等でもドリフトの発生を十分に回避できる。
【００１６】
（４）  好適な態様により、噴霧系統４ａ，４ｂに、一又は二以上の噴霧ノズル３ａ…，３ｂ…を有する噴霧方向の異なる複数のノズルユニット４ａｐ…，４ｂｐ…と、各ノズルユニット４ａｐ…，４ｂｐ…に対する薬液Ｌの供給又は停止を切換える第二切換手段１１を設ければ、薬液Ｌの噴霧圧力Ｐａ，Ｐｂ（噴霧量及び噴霧距離）の変更に加えて、薬液Ｌの噴霧方向の変更も容易に行うことができる。
【００１７】
（５）  好適な態様により、異圧薬液供給手段５として、噴霧ポンプ１３から供給される薬液Ｌの圧力を変更して各噴霧系統４ａ，４ｂに供給する調圧弁１４ａ，１４ｂを用いて構成すれば、主要構成部品として調圧弁１４ｂを追加するのみで容易かつ低コストに実現できる。
【００１８】
（６）  好適な態様により、異圧薬液供給手段５として、薬液Ｌの圧力を変更して各噴霧系統４ａ，４ｂに供給する複数の噴霧ポンプ１５ａ，１５ｂを用いて構成すれば、噴霧ポンプ１５ｂの追加による安定した動作を実現できる。
【発明を実施するための最良の形態】
【００１９】
次に、本発明に係る最良の実施形態を挙げ、図面に基づき詳細に説明する。
【００２０】
まず、本実施形態に係る薬液噴霧装置１を備えるスピードスプレーヤＭの概略構成について、図２を参照して説明する。
【００２１】
スピードスプレーヤＭにおいて、５１はシャーシであり、このシャーシ５１の前側に左右一対の前輪５２…を備えるとともに、後側に左右一対の後輪５３…を備える。これにより、スピードスプレーヤＭは、搭載するエンジンにより自走する。一方、シャーシ５１上のボディ５４の前部には、操舵ハンドル５５及び着座シート５６、更には後述する操作パネル３３（図１参照）等を有する運転席１２を備えるとともに、この運転席１２の前方におけるボンネット５７には、ヘッドライト等のライト類やバックミラー等の必要な車両装備を備える。そして、運転席１２の後方には、本実施形態に係る薬液噴霧装置１を搭載する。
【００２２】
次に、本実施形態に係る薬液噴霧装置１の構成について、図１〜図４を参照して具体的に説明する。
【００２３】
薬液噴霧装置１は、図２に示すように、運転席１２の後側に配した薬液タンク２を備える。また、この薬液タンク２の後方であってボディ５４の後端には、風洞カバー６２に覆われた送風機６１を備える。さらに、風洞カバー６２と薬液タンク２の間には、噴霧空間Ｓを有し、この噴霧空間Ｓには、整流筒２１，２２及びこの整流筒２１，２２に沿って配した多数の噴霧ノズル３ａ…，３ｂ…を備える。これにより、噴霧ノズル３ａ…，３ｂ…から噴霧される薬液Ｌは、送風機６１からの送風によって噴霧空間Ｓから、右方，左方及び上方を含む放射方向の所定範囲（図５，図６参照）に噴霧される。なお、６３は、給水ポンプに接続したサクションホースである。
【００２４】
また、薬液噴霧装置１は、図１〜図４に示すように、噴霧ノズル３ａ…，３ｂ…から薬液Ｌを噴霧する高圧側噴霧系統４ａと低圧側噴霧系統４ｂの二つの噴霧系統を備える。したがって、多数の噴霧ノズル３ａ…，３ｂ…も各噴霧系統４ａ，４ｂに分けられる。この場合、高圧側噴霧系統４ａには、複数の噴霧ノズル３ａ…を有する噴霧方向の異なる三組のノズルユニット４ａｐ，４ａｍ，４ａｑを備えるとともに、低圧側噴霧系統４ｂには、複数の噴霧ノズル３ｂ…を有する噴霧方向の異なる三組のノズルユニット４ｂｐ，４ｂｍ，４ｂｑを備え、図３に示すように、ノズルユニット４ａｐ，４ｂｐの噴霧方向は左方向（図３中、右方向）、ノズルユニット４ａｍ，４ｂｍの噴霧方向は上方向、ノズルユニット４ａｑ，４ｂｑの噴霧方向は右方向となる。
【００２５】
高圧側のノズルユニット４ａｍは、図３及び図４に示すように、風洞カバー６２に沿った形状の主管部２５ａを有し、この主管部２５ａに沿って所定間隔おきに設けた複数の分岐継手部２６ａ…からそれぞれＬ形に形成した分岐管部２７ａ…を直角方向（前方向）に突出させる。この場合、分岐継手部２６ａ…から突出した分岐継手部２６ａ…の前部を直角方向（放射方向）に折曲し、この先端に噴霧ノズル３ａ…を取付ける。高圧側の他のノズルユニット４ａｐ，４ａｑも、主管部２５ａの形状及び噴霧ノズル３ａ…の数量等が異なるものの、基本的な形態はノズルユニット４ａｍと同じになる。他方、低圧側のノズルユニット４ｂｍも高圧側のノズルユニット４ａｍと同様であり、図３及び図４に示すように、風洞カバー６２に沿った形状の主管部２５ｂを有し、この主管部２５ｂに沿って所定間隔おきに設けた複数の分岐継手部２６ｂ…からそれぞれＬ形に形成した分岐管部２７ｂ…を直角方向（前方向）に突出させる。この場合、分岐継手部２６ｂ…から突出した分岐継手部２６ｂ…の前部を直角方向（放射方向）に折曲し、この先端に噴霧ノズル３ｂ…を取付ける。低圧側の他のノズルユニット４ｂｐ，４ｂｑも、主管部２５ｂの形状及び噴霧ノズル３ｂ…の数量等は異なるものの、基本的な形態はノズルユニット４ｂｍと同じになる。
【００２６】
なお、図３及び図４では、高圧側のノズルユニット４ａｐ…を低圧側のノズルユニット４ｂｐ…よりも内側に配した場合を示すが、低圧側のノズルユニット４ｂｐ…を高圧側のノズルユニット４ａｐ…よりも内側に配してもよいし、高圧側のノズルユニット４ａｐ…と低圧側のノズルユニット４ｂｐ…を相前後して配してもよい。また、噴霧ノズル３ａ…，３ｂ…は、図２に示すように、高圧側の噴霧ノズル３ａ…を後側に揃えて配し、低圧側の噴霧ノズル３ｂ…を前側に揃えて配した場合を示したが、噴霧ノズル３ａ…と噴霧ノズル３ｂ…が交互に前後するいわゆる千鳥足状に配してもよい。
【００２７】
さらに、高圧側噴霧系統４ａに備える各ノズルユニット４ａｐ，４ａｍ，４ａｑには、各ノズルユニット４ａｐ…に対して薬液Ｌの供給又は停止を切換える開閉弁１１ａｐ，１１ａｍ，１１ａｑの二次側を接続するとともに、低圧側噴霧系統４ｂに備える各ノズルユニットには、各ノズルユニット４ｂｐ…に対して薬液Ｌの供給又は停止を切換える開閉弁１１ｂｐ，１１ｂｍ，１１ｂｑの二次側を接続する。各開閉弁１１ａｐ…，１１ｂｐ…は、第二切換手段１１となり、それぞれ後述する車載コントローラ３１からの制御信号により開閉制御される電磁アクチュエータ等により構成する。
【００２８】
また、薬液噴霧装置１は、図１に示すように、薬液タンク２から各噴霧系統４ａ，４ｂに対して異なる噴霧圧力Ｐａ，Ｐｂの薬液Ｌを供給する異圧薬液供給手段５を備える。この異圧薬液供給手段５は、噴霧ポンプ１３から供給される薬液Ｌの圧力を変更して各噴霧系統４ａ，４ｂに供給する調圧弁、即ち、高圧側調圧弁１４ａと低圧側調圧弁１４ｂを用いて構成する。この場合、高圧側調圧弁１４ａの入口ポートｉａは、噴霧ポンプ１３，ストレーナ２８，開閉弁２９を介して薬液タンク２の流出口２ｏに接続する。さらに、高圧側調圧弁１４ａの余液口ポートｒａは低圧側調圧弁１４ｂの入口ポートｉｂに接続するとともに、低圧側調圧弁１４ｂの余液口ポートｒｂは、薬液タンク２の流入口（戻口）２ｒに接続する。これにより、高圧側調圧弁１４ａは、高圧側の噴霧圧力Ｐａを設定できるとともに、低圧側調圧弁１４ｂは、低圧側の噴霧圧力Ｐｂを設定できる。高圧側の噴霧圧力Ｐａは、概ね１．２〜１．７〔ＭＰａ〕に設定するとともに、低圧側の噴霧圧力Ｐｂは、概ね０．５〜１．０〔ＭＰａ〕に設定することが望ましい。
【００２９】
一方、高圧側調圧弁１４ａの出口ポートｏａは、開閉弁６ａを介して開閉弁１１ａｐ，１１ａｍ，１１ａｑの一次側に接続するとともに、低圧側調圧弁１４ｂの出口ポートｏｂは、開閉弁６ｂを介して開閉弁１１ｂｐ，１１ｂｍ，１１ｂｑの一次側に接続する。開閉弁６ａ，６ｂは、各噴霧系統４ａ，４ｂに対する薬液Ｌの供給又は停止を切換える第一切換手段６となり、それぞれ後述する車載コントローラ３１からの制御信号により開閉制御される電磁アクチュエータ等により構成する。
【００３０】
他方、３１は車載コントローラを示す。車載コントローラ３１には車載バッテリ３２を接続するとともに、運転席１２に備える操作パネル３３を接続する。車載コントローラ３１は制御信号を出力し、各開閉弁６ａ，６ｂ及び開閉弁１１ａｐ，１１ａｍ，１１ａｑ，１１ｂｐ，１１ｂｍ，１１ｂｑを開閉制御するとともに、各調圧弁１４ａ，１４ｂに対して制御信号を付与し、設定圧力を調整（変更）することができる。車載コントローラ３１は、その他、噴霧ポンプ１３の動作制御や開閉弁２９の開閉制御を行うことができるとともに、スピードスプレーヤＭ全体における各種制御を司る機能を有している。
【００３１】
したがって、第一切換手段６は、運転者（作業者）がスピードスプレーヤＭの運転中に操作パネル３３を操作し、各開閉弁６ａ，６ｂに対する開閉制御を遠隔操作により行う遠隔切換手段６Ａとして構成されるとともに、第二切換手段１１は、運転者がスピードスプレーヤＭの運転中に操作パネル３３を操作し、各開閉弁１１ａｐ，１１ａｍ，１１ａｑ，１１ｂｐ，１１ｂｍ，１１ｂｑに対する開閉制御を遠隔操作により行う遠隔切換手段１１Ａとして構成される。
【００３２】
次に、本実施形態に係る薬液噴霧装置１の使用方法（機能）について、図１〜図６を参照して説明する。
【００３３】
薬液噴霧装置１は、上述したように、運転者（作業者）がスピードスプレーヤＭの運転中に操作パネル３３を操作し、遠隔操作により各開閉弁６ａ，６ｂに対する開閉制御を行うことができるとともに、遠隔操作により各開閉弁１１ａｐ，１１ａｍ，１１ａｑ，１１ｂｐ，１１ｂｍ，１１ｂｑに対する開閉制御を行うことができる。
【００３４】
今、運転者が操作パネル３３を操作し、第一切換手段６における高圧側の開閉弁６ａを開ポジションに切換え、低圧側の開閉弁６ｂを閉ポジションに切換えるとともに、第二切換手段１１の各開閉弁１１ａｐ，１１ａｍ，１１ａｑを全て開ポジションに切換えれば、図５に示すように、高圧側のノズルユニット４ａｐ，４ａｍ，４ａｑの全てからスピードスプレーヤＭの左方向エリアＺａｐ（図５中、右方向），上方向エリアＺａｍ及び右方向エリアＺａｑに薬液Ｌが噴霧され、この際の噴霧圧力Ｐａは、予め設定した例えば１．５〔ＭＰａ〕の高圧となる。これにより、比較的遠い場所まで薬液散布が可能になる。また、この状態で各開閉弁１１ａｐ，１１ａｍ，１１ａｑの一又は二を閉ポジションに切換えれば、左方向エリアＺａｐ，上方向エリアＺａｍ及び右方向エリアＺａｑの一又は二の各エリアに対して選択的な薬液散布が可能になる。なお、この際、各開閉弁１１ａｐ，１１ａｍ，１１ａｑの一又は二が選択された場合であっても、各調圧弁１３ａ，１３ｂの制御により設定した噴霧圧力Ｐａの変動が回避される。
【００３５】
同様に、第一切換手段６における低圧側の開閉弁６ｂを開ポジションに切換え、高圧側の開閉弁６ａを閉ポジションに切換えるとともに、第二切換手段１１の各開閉弁１１ｂｐ，１１ｂｍ，１１ｂｑを全て開ポジションに切換えれば、図６に示すように、低圧側のノズルユニット４ｂｐ，４ｂｍ，４ｂｑの全てからスピードスプレーヤＭの左方向エリアＺｂｐ（図６中、右方向），上方向エリアＺｂｍ及び右方向エリアＺｂｑに薬液Ｌが噴霧され、この際の噴霧圧力Ｐｂは、予め設定した例えば０．７〔ＭＰａ〕の低圧となる。これにより、比較的近い場所に薬液散布が可能になる。また、この状態で各開閉弁１１ｂｐ，１１ｂｍ，１１ｂｑの一又は二を閉ポジションに切換えれば、左方向エリアＺｂｐ，上方向エリアＺｂｍ及び右方向エリアＺｂｑの一又は二の各エリアに対して選択的な薬液散布が可能になる。なお、この際、各開閉弁１１ｂｐ，１１ｂｍ，１１ｂｑの一又は二が選択された場合であっても、各調圧弁１３ａ，１３ｂの制御により設定した噴霧圧力Ｐｂの変動が回避される。
【００３６】
このような薬液噴霧装置１では、各開閉弁６ａ，６ｂ，１１ａｐ，１１ａｍ，１１ａｑ，１１ｂｐ，１１ｂｍ，１１ｂｑの開閉制御を行うことにより、様々な噴霧範囲となる各種噴霧パターンを選択することができるとともに、選択した噴霧パターンに速やかに変更することができる。また、高圧側の開閉弁６ａと低圧側の開閉弁６ｂを同時に開ポジションに切換制御し、例えば、二つのノズルユニット４ａｐと４ｂｐから同時に噴霧することができ、これにより、右方向エリア（Ｚａｐ，Ｚｂｐ）の遠い場所と近い場所の双方に対して同時に薬液散布可能になる。
【００３７】
よって、本実施形態に係る薬液噴霧装置１によれば、薬液Ｌの噴霧圧力Ｐａ，Ｐｂ（噴霧量及び噴霧距離）を変更するに際し、特に、噴霧ノズル３ａ…周りをはじめ、薬液噴霧装置１全体における機械的変更操作が不要となるため、手動及び自動のいずれの操作も容易化することができるとともに、噴霧ノズル３ａ…周りの機械的構造の単純化，小型化及び低コスト化に寄与できる。また、外部に露出する噴霧ノズル３ａ…周りにおける機構の単純化及び小型化により、土埃の付着や錆の発生等による故障や劣化が生じにくくなり、耐久性及び信頼性の向上に寄与できる。さらに、散布する薬液Ｌの噴霧量及び噴霧距離を速やかに変更できるため、ドリフトを効果的に低減することができ、例えば、スピードスプレーヤＭが走行中に方向転換したり散布対象物のすぐ近くに非散布対象物が存在する場合等でもドリフトの発生を十分に回避できる。
【００３８】
一方、噴霧系統４ａ，４ｂには、一又は二以上の噴霧ノズル３ａ…，３ｂ…を有する噴霧方向の異なる複数のノズルユニット４ａｐ…，４ｂｐ…と、各ノズルユニット４ａｐ…，４ｂｐ…に対する薬液Ｌの供給又は停止を切換える第二切換手段１１を設けたため、薬液Ｌの噴霧圧力Ｐａ，Ｐｂ（噴霧量及び噴霧距離）の変更に加えて、薬液Ｌの噴霧方向の変更も容易に行うことができる。しかも、異圧薬液供給手段５として、噴霧ポンプ１３から供給される薬液Ｌの圧力を変更して各噴霧系統４ａ，４ｂに供給する調圧弁１４ａ，１４ｂを用いて構成したため、主要構成部品として調圧弁１４ｂを追加するのみで容易かつ低コストに実現できる利点がある。
【００３９】
次に、本発明の変更実施形態に係るスピードスプレーヤＭの薬液噴霧装置１について、図７を参照して説明する。
【００４０】
変更実施形態に係る薬液噴霧装置１は、図７に示すように、異圧薬液供給手段５を構成するに際して、薬液Ｌの圧力を変更して各噴霧系統４ａ，４ｂに供給する複数の噴霧ポンプ１５ａ，１５ｂを用いて構成したものである。したがって、ストレーナ２８の二次側を各噴霧ポンプ１５ａ，１５ｂの吸入部にそれぞれ接続するとともに、高圧側に用いる噴霧ポンプ１５ａの吐出部は、高圧側調圧弁１４ａの入口ポートｉａに、また、低圧側に用いる噴霧ポンプ１５ｂの吐出部は、低圧側調圧弁１４ｂの入口ポートｉｂにそれぞれ接続する。一方、高圧側調圧弁１４ａの余液口ポートｒａ及び低圧側調圧弁１４ｂの余液口ポートｒｂは、それぞれ薬液タンク２の流入口（戻口）２ｒに接続するとともに、高圧側調圧弁１４ａの出口ポートｏａは開閉弁６ａの一次側に、また、低圧側調圧弁１４ｂの出口ポートｏｂは開閉弁６ｂの一次側にそれぞれ接続する。なお、その他の構成は、図１に示した実施形態と同じになる。このため、図７における図１と同一部分には同一符号を付して、その構成を明確にするとともに、その詳細な説明は省略する。
【００４１】
この変更実施形態に係る薬液噴霧装置１は、高圧側の噴霧ポンプ１５ａにより高圧側の噴霧圧力Ｐａ（概ね１．２〜１．７〔ＭＰａ〕）を設定できるとともに、低圧側の噴霧ポンプ１５ｂにより低圧側の噴霧圧力Ｐｂ（概ね０．５〜１．０〔ＭＰａ〕）を設定でき、噴霧ポンプ１５ｂの追加による安定した動作を実現できる利点がある。
【００４２】
以上、最良の実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。例えば、例示の噴霧系統４ａ，４ｂは二系統の場合を示したが、三系統以上であってもよい。また、各噴霧系統４ａ…におけるノズルユニット４ａｐ，４ａｍ，４ａｑ…は三組の場合を示したが、一組又は二組或いは四組以上であってもよい。さらに、第一切換手段６（第二切換手段１１）として、運転席１２の操作により各噴霧系統４ａ，４ｂ（各ノズルユニット４ａｐ…，４ｂｐ…）に対する薬液Ｌの供給又は停止を切換える遠隔切換手段６Ａ（１１Ａ）（自動切換手段）を示したが、直接切換える直接切換手段（手動切換手段）の採用を排除するものではない。
【図面の簡単な説明】
【００４３】
【図１】本発明の最良の実施形態に係る薬液噴霧装置の回路図、
【図２】同薬液噴霧装置を備えるスピードスプレーヤの側面図、
【図３】同薬液噴霧装置におけるノズルユニットの正面レイアウト図、
【図４】同ノズルユニットの一部を示す外観構成図、
【図５】同薬液噴霧装置における高圧噴霧系統の作用説明図、
【図６】同薬液噴霧装置における低圧噴霧系統の作用説明図、
【図７】本発明の変更実施形態に係る薬液噴霧装置の回路図、
【符号の説明】
【００４４】
１      薬液噴霧装置
２      薬液タンク
３ａ…  噴霧ノズル
３ｂ…  噴霧ノズル
４ａ    噴霧系統（高圧側噴霧系統）
４ｂ    噴霧系統（低圧側噴霧系統）
４ａｐ…  ノズルユニット
４ｂｐ…  ノズルユニット
５      異圧薬液供給手段
６      切換手段（第一切換手段）
６Ａ    遠隔切換手段
１１    第二切換手段
１１Ａ  遠隔切換手段
１２    運転席
１３    噴霧ポンプ
１４ａ  調圧弁（高圧側調圧弁）
１４ｂ  調圧弁（低圧側調圧弁）
１５ａ  噴霧ポンプ
１５ｂ  噴霧ポンプ
Ｌ      薬液
Ｍ      スピードスプレーヤ
【図１】
2006205126.tif 000003
【図２】
2006205126.tif 000004
【図３】
2006205126.tif 000005
【図４】
2006205126.tif 000006
【図５】
2006205126.tif 000007
【図６】
2006205126.tif 000008
【図７】
2006205126.tif 000009